(57)【要約】【課題】高い光出力であり低電力消費の電界放出照明装置。【解決手段】本願発明は、アノードとカソードを備え、固有の所定容量を有する電界放出光源と、所定インダクタンスを有し、電界放出光源の前記アノードと前記カソードの少なくとも１つに接続しているインダクタと、前記電界放出光源と前記インダクタに接続し、電界放出光源を駆動するための駆動信号を供給するように構成された、電源であって、該駆動信号は、前記所定容量と前記所定インダクタンスに基づいて、電界放出照明装置の共振における電力半値幅に対応する、周波数範囲にあるように選択された第１の周波数を有する第１の周波数成分を含む、電源と、を備える電界放出照明装置に関する。本願発明の優位点は、電界放出照明装置の光出力の増加ととともに、低電力消費を含む。【選択図】図１
2013515338.tif 000002
【特許請求の範囲】
【請求項１】
アノードとカソードを備え、固有の所定容量を有する電界放出光源と、
所定インダクタンスを有し、電界放出光源の前記アノードと前記カソードの少なくとも１つに接続しているインダクタと、
前記電界放出光源と前記インダクタに接続し、電界放出光源を駆動するための駆動信号を供給するように構成された電源であって、該駆動信号は、前記所定容量と前記所定インダクタンスに基づいて、電界放出照明装置の共振における電力半値幅に対応する周波数範囲にあるように選択された第１の周波数を有する第１の周波数成分を含む、電源と、
を備える電界放出照明装置。
【請求項２】
前記第１の周波数は、２０ｋＨｚを超える、請求項１に記載の電界放出照明装置。
【請求項３】
前記駆動信号は、第２の周波数を有する第２の周波数成分を更に含み、
該第２の周波数は、前記第１の周波数より低い、請求項１または２に記載の電界放出照明装置。
【請求項４】
前記第２の周波数成分は、前記第１の周波数成分に対するキャリアである、請求項３に記載の電界放出照明装置。
【請求項５】
前記第２の周波数は、１ｋＨｚより低い、請求項３または４に記載の電界放出照明装置。
【請求項６】
前記第１の周波数成分は、本質的に正弦波である、請求項１ないし５のいずれか１項に記載の電界放出照明装置。
【請求項７】
前記第２の周波数成分は、本質的に正弦波である、請求項３ないし６ののいずれか１項に記載の電界放出照明装置。
【請求項８】
第２の周波数成分は、１０ｋＶを上回る振幅を有する、請求項３ないし７ののいずれか１項に記載の電界放出照明装置。
【請求項９】
前記インダクタは、前記アノードおよび前記カソードと平行に配置される、請求項１ないし８のいずれか１項に記載の電界放出照明装置。
【請求項１０】
前記インダクタは、前記アノードと前記カソードの１つと直列に配置される、請求項１ないし９のいずれか１項に記載の電界放出照明装置。
【請求項１１】
前記アノードと前記カソードとを備える排気チャンバーと、
該排気チャンバーに接続し、前記インダクタと前記電源を備える、下部構造と、
を更に備える請求項１ないし１０のいずれか１項に記載の電界放出照明装置。
【発明の詳細な説明】
【技術分野】
【０００１】
本願発明は、電界放出照明装置に関するものである。より詳しくは、本願発明は、共振において電界放出照明装置を本質的に駆動する手段に関するものである。
【背景技術】
【０００２】
現在、従来の電球を、よりエネルギー効率がよい選択肢により交換する傾向がある。また、従来の電球に似ている形の蛍光源が示されており、しばしばコンパクト型蛍光ランプ（ＣＦＬ）と呼ばれる。周知のように、すべての蛍光源は少量の水銀を含み、水銀暴露による健康への影響のために問題を起こす。その上、水銀の廃棄に関する厳重な規制のために、蛍光源のリサイクリングは、複雑で高価なものになる。
【０００３】
したがって、蛍光光源に対する代替選択肢を提供したいという願望がある。そのような選択肢の例がＷＯ２００５０７４００６において提供されており、水銀あるいは他のいかなる健康有害物質も含んでいない電界放出光源を開示している。その電界放出光源は、アノードとカソードを含み、そのアノードは、導電層および、導電層とカソードの間の電位差に起因する電子衝撃により励起されるときに、発光する発光層を含む。高い放出光を達成するためには、４ないし１２ｋＶの間の駆動信号を適用することが望ましい。
【０００４】
ＷＯ２００５０７４００６に開示された電界放出光源は、例えば、水銀の不使用が必要なより環境にやさしい照明に対する有望なアプローチを提供する。しかしながら、寿命を伸ばすために、および／または、エネルギー消費を減らすために、駆動条件を改良することが望ましい。
【先行技術文献】
【特許文献】
【０００５】
【特許文献１】ＷＯ２００５０７４００６
【発明の概要】
【０００６】
本願発明の態様によると、上記は、少なくとも部分的には、アノードとカソードを備え、固有の所定容量を有する電界放出光源と、所定インダクタンスを有し、電界放出光源の前記アノードと前記カソードの少なくとも１つに接続しているインダクタと、前記電界放出光源と前記インダクタに接続し、電界放出光源を動かすための駆動信号を供給するように構成された、電源であって、該駆動信号は、前記所定容量と前記所定インダクタンスに基づいて、電界放出照明装置の共振における電力半値幅に対応する、周波数範囲にあるように選択された第１の周波数を有する第１の周波数成分を含む、電源と、を備える電界放出照明装置により達成される。
【０００７】
本願発明は、カソードとアノードの材料の選択がなされると、ランプの構成と物理的な大きさは決定され、ランプの物理的特性を決定することができるという理解に基づいている。電気回路の観点からすると、これらの特性のいくつかは、所定の抵抗、容量とインダクタンスを有するダイオード、キャパシタおよびインダクタのような電子部品の特性で同定することができる。したがって、ランプは、全体として、異なる態様における、これらの部品のように見える。最も重要なものは、例えば、ＤＣ駆動、低周波駆動および共振周波数駆動などの異なる駆動状況の下の共振回路である。共振周波数より低いいかなる周波数でも、低周波と定義される。ランプの内部におよび／外部におけるキャパシタンスやインダクタンスを調節することによって、望ましい共振周波数および、入力電圧と電流の位相関係を選ぶことが可能である。
【０００８】
本願発明に従って、電界放出照明装置の共振における電力半値幅が達成されるような第１の周波数の選択は、第１の周波数が、電界放出照明装置の共振周波数を中心に集中するように選ばれ、トータルパワーの半分が含まれるような周波数範囲の中にあることを意味すると理解される。別の言い方をすると、第１の周波数は、駆動信号が、その振幅に対する最大値の半分を上回っているパワーを有するような周波数の範囲の中のどこかにあるように選ばれる。
【０００９】
電界放出照明装置の共振を準備する駆動信号の選択とともに、インダクタを含むことの利点は、電界放出照明装置の光出力の増加とともに、電界放出照明装置の低電力消費を含む。より正確には、電界放出照明装置は、好適には、アノードに隣接して配置された蛍光体層を備える。オペレーションの間、カソードは電子を放出することができ、蛍光体層に向かって加速される。放出された電子が蛍光体粒子と衝突するときに、蛍光体層は、発光することができる。蛍光体層から提供される光は、アノードを通して伝わり、これは、（例えば、酸化インジウムスズ「ＩＴＯ」ベースのアノードを用いて）透明に構成される。
【００１０】
好適な実施形態において、前記第１の周波数は、ほぼ、アノードとカソードの固有の容量に依存して、２０ｋＨｚを超える、駆動信号は、また、第２の周波数を有する第２の周波数成分を含み、第２の周波数は、第１の周波数より低く、たとえば１ｋＨｚより低い。都合のよいことに、第２の周波数成分は、第１の周波数成分のためのキャリアとして準備される。
【００１１】
好適には、第１及び／又は第２の周波数成分は、本質的にサイン波形を持つように選ぶことができる。しかしながら、他の波形も可能であり、それらも本願発明の範囲内である。
【００１２】
高い光出力を達成するために、第２の周波数成分は、１０ｋＶを上回る振幅を持つように構成される。しかしながら、電界放出照明装置によって放出される光の調光を可能とすることができる。調光モードにおいて、振幅は、４−１５ｋＶの範囲の中にあることができる。
【００１３】
インダクタは、アノード及びカソードと平行にも、直列にも、配置することができる。第１の周波数の選択は、また、インダクタがどこに配置されるか、に依存する。
【００１４】
好適な実施形態において、電界放出照明装置は、さらに、前記アノードと前記カソードとを備える排気チャンバーと、排気チャンバーに接続する下部構造とを備え、また、インダクタと電源を備える。このようなインプリメンテーションを提供することによって、電界放出照明装置を、一般の電球に対する改良デバイスとして提供することができる。したがって、ベースは、適切なソケットをはめ込むために差込式スリーブのネジを備えることができる。
【００１５】
本願発明による更なる特徴、利点が、添付の特許請求の範囲および以下の説明を検討されれば、明らかになる。当業者は、本願発明の要旨を逸脱しない範囲で、以下に記載される実施形態以外の実施形態をつくるために、本願発明の異なる特徴を、組み合わせることができることを理解する。
【図面の簡単な説明】
【００１６】
特定の特徴および効果を含む、本願発明の種々の態様が、以下の詳しい説明と添付の図面から容易に理解される。
【００１７】
【図１ａ】本願発明の現在の好適な実施形態による、３つの異なる電界放出照明装置を、概念的に、図示するものである。
【図１ｂ】本願発明の現在の好適な実施形態による、３つの異なる電界放出照明装置を、概念的に、図示するものである。
【図１ｃ】本願発明の現在の好適な実施形態による、３つの異なる電界放出照明装置を、概念的に、図示するものである。
【図２】電界放出照明装置の共振における電力半値幅の概念を示す図である。
【図３】本願発明の別の好適な実施形態による、独立型電界放出照明装置を示す。
【発明を実施するための形態】
【００１８】
本願発明が、次に、添付の図面を参照して、以下により完全に記載され、本願発明の現在の好適な実施形態が示される。しかしながら、この発明は、多くの異なる形で実施することができ、ここに述べられる実施形態に限られていると解釈されてはならない。むしろ、これらの実施形態は、完全かつ徹底して提供されるものであり、当業者に対して、発明の範囲を十分に伝えるものである。明細書全体にわたり、同じ参照記号は、同じ要素を指すものとする。
【００１９】
次に、図面、特に、図１ａを参照すると、本願発明の第１の現在の好適な実施形態による、電界放出照明装置１００が描かれている。電界放出照明装置１００は、電界放出光源１０２を備える。次に、電界放出光源１０２は、アノードとカソード（図１ａには示されていない）を備え、固有容量１０４を有する。この電界放出光源は、さらに、ダイオード１０６として機能し、したがって、図１の電気回路図は、光源１０２がそのようなコンポーネントを備えるように図示する。電界放出光源の物理構成は、例えば、出願人のＷＯ２００５０７４００６に開示されており、参照により、本願明細書のその全体が組みこまれる。
【００２０】
電界放出光源１０２を駆動するために、電界放出照明装置１００は、更に、電界放出光源１０２を制御するための駆動信号を提供するように構成された制御ユニット１０８を含む。制御ユニット１０８は、マイクロプロセッサ、マイクロコントローラ、プログラマブル・デジタル信号プロセッサ、あるいは、その他のプログラマブルデバイスを含むことができる。制御ユニット１０８は、さらに、あるいは、代わりに、特定用途向け集積回路（ＡＳＩＣ）、プログラマブル・ゲートアレイまたはプログラマブル・アレイ・ロジック、プログラマブル・ロジック・デバイスまたはデジタル信号プロセッサを含むことができる。制御ユニット１０８は、マイクロプロセッサのようなプログラマブルデバイス、上記のようなマイクロコントローラまたはプログラマブル・デジタル信号プロセッサを含むが、プロセッサーは、更に、プログラマブルデバイスのオペレーションをコントロールするコンピュータ実行可能コードを含むことができる。
【００２１】
制御ユニット１０８は、好適には、本質的にサイン波の特徴を有する（２０ｋＨｚを超える）高周波と（４−１０ｋＶの間の）高電圧の駆動信号を提供するように適合している。他の波形は、もちろん可能であり、本願発明の範囲内である。その上、その信号の周波数は、好適には、電界放出光源１０２は、共振回路を形成するために、電界放出光源１０２と直列に配置されたインダクタ１１０に接続しており、電界放出光源１０２の共振周波数に対応するように適合している。したがって、電界放出光源１０２とインダクタ１１０とによって形成された電気回路は、電界放出照明装置１００の共振を準備するように、インダクタ１１０の値／サイズと共に選択された制御ユニット１０８からの駆動信号を使って駆動される。上で論じたように、これは、たとえば、電界放出光源１０２の光源効率（ｌｍ／Ｗ）に関する改善を含む、電界放出照明装置１００の照明条件を改善する。
【００２２】
また、前述したように、制御信号の周波数（Ｈｚ）と振幅（Ｖ）との選択は、インダクタ（Ｈ）１１０のサイズと同様に、電界放出光源１０２の構成と物理的大きさに基づいている。つまり、インダクタンスを調節することによって、望ましい共振周波数と、制御ユニット１０８により提供される入力電圧と電流との位相関係と、を選ぶことが可能である。
【００２３】
電界放出照明装置１００の電気スキームは、例えば、図１ｂに図示されるように、異なる形をとることができる。図１ｂに示す電界放出照明装置１００’は、図１ａに示されたような電界放出照明装置１００に比較して、少し修正されている。より正確には、図１ｂに図示される実施形態において、インダクタ１１０は、電界放出光源１０２と平行に配置される代わりに、別のインダクタ１１２に置き換えられている。この実施形態は、異なる電気回路図が可能であり、本願発明の範囲内であることを強調している。
【００２４】
電界放出照明装置１００を異なるように構成する可能性が、さらに、図１ｃに、電界放出照明装置１００’’として図示されている。この実施形態において、インダクタ１１０／１１２が、また、置き換えられており、その代わりに、電界放出光源１０２と制御ユニット１０８の間に、トランス１１４が提供されている。このトランス１１４は、制御ユニット１０８によって提供される駆動信号の電圧振幅を増大させるように、また更に、上で示したように電界放出光源１０２とインダクタを備える共振回路の形成するためのインダクティブ成分を提供するように機能する。つまり、本願発明によれば、インダクティブ要素を電界放出照明装置１０２’’に提供するために、トランス１１４の固有のインダクティブ容量を使用することもできる。
【００２５】
次に、電界放出照明装置の共振の電力半値幅の概念を図示する図２を参照する。すなわち、共振を達成するためには、どの範囲で、駆動信号の周波数を選択することができるのか、ということである。すなわち、駆動信号の周波数範囲または選択可能なバンド幅は、２つの電力半値周波数における周波数応答の幅を基準として決定される。その結果、バンド幅のこの基準は、電力半値全幅または共振の電力半値幅と呼ばれることがある。より詳しくは、電力は、回路電圧（または電流）の二乗に比例し、したがって、周波数応答は、電力半値周波数において、１／√２に落ちる。図２において、電界放出光源１０２／１０２’／１０２’’の周波数応答は、インダクティブ成分１１０／１１２／１１４と共に、それぞれ、共振２０２においてピーク値を有するグラフ２００によって定義される。周波数範囲の低位レベルは、ライン２０４によって示され、より高位レベルは、ライン２０６によって示される。その上、低位レベル・ライン２０４と高位レベル・ライン２０６とが、周波数応答２００のグラフに交差するレベルは、周波数応答が共振ピーク２０２の１／√２にあるところである。
【００２６】
図３において、本願発明のさらに別の好適な実施形態による独立型電界放出照明装置３００の概念図を示す。照明装置３００は、図１ａ−１ｃいずれかに関して論じたような電気特性を有し、図２に関係して議論されたように、また、上で示したような波形と振幅を有する周波数範囲の中において選択された駆動信号を使用して制御される。電界放出照明装置３００は、たとえば、ＷＯ２００５０７４００６に開示された多孔性カーボン材でできているカソード３０４が内部に配置された真空円筒形ガラス・チューブ３０２を備える。ガラス・チューブ３０２は、また、導電層３０６とカソード３０４に対向する導電層３０６の内表面を蛍光体コートした層３０８とから成るアノードも備える。アノードの構造は、たとえば、出願人のＷＯ０５０７４００６に開示されたアノード構造に対応するものであることができ、参照により、本願明細書のその全体が組みこめられる。
【００２７】
電界放出照明装置３００は、更に、ベース３１０とソケット３１２を含み、電界放出照明装置３００を、従来の電球を改良するために使用されることを可能にしている。ベース３１０は、好適には、手近の特定の実装に基づく制御ユニット１０８とインダクティブ成分１１０／１１２／１１４を備える。
【００２８】
たとえ本願発明が、その実施形態を特定して例示して記載されたとしても、多くの異なる変更、修正などは、当業者にとって明らかであろう。本願明細書、図面等を研究して、本願発明を実施する場合に、当業者は、開示された実施形態のバリエーションを可能であることを理解し、達成することができる。例えば、たとえ、上述した説明が、単一周波数を有する駆動信号に関して与えられたとしても、駆動信号において更なる周波数を考慮に入れることが、可能であり、本願発明の範囲内にあるものである。例としてあげると、上で示したように周波数（すなわち、第１の周波数）は、例えば。異なるインプリメンテーション課題のソリューションに依存する搬送周波数（すなわち第２の周波数）の「上で」提供することができる。そのキャリアは、第１の周波数ほど高い周波数を持つ必要はないが、電界放出照明装置３００が使用される場所における、主周波数に本質的に対応することができる。
【００２９】
なお、特許請求の範囲において、「備える」という用語は、他の要素あるいはステップを排除するものではない。また、「１つの」は、「複数の」を排除するものではない。
【図１ａ】
2013515338.tif 000003
【図１ｂ】
2013515338.tif 000004
【図１ｃ】
2013515338.tif 000005
【図２】
2013515338.tif 000006
【図３】
2013515338.tif 000007
【国際調査報告】
2013515338.tif 000008
2013515338.tif 000009
2013515338.tif 000010